(57)【要約】【課題】加熱した後、外部からエネルギの供給がなくても長時間に渡って温熱体の温度が一定以上に保持出来る温熱罨法器を提供する。【解決手段】この発明は一つに合体される１対の部材で成る麦飯石製温熱体を含み、その内部には潜熱材が充填されている罨法器であって、前記温熱体は収納用カバンの内側に敷設された面状発熱体により暖められるか、または温熱体の内部で潜熱材が収容された函体の外周に敷設した電熱コイルで加熱される構成から成って、前記潜熱材はピロ燐酸ナトリウム１０水和物（Ｎａ４Ｐ２Ｏ７・１０Ｈ２Ｏ）とドコサン（Ｃ２２Ｈ４６）とを混合した相変化物質６９〜８７重量％に、核生成剤として塩化ナトリウム（ＮａＣｌ）１０〜１５重量％、増粘剤としてアクリル酸１〜３重量％、潜熱温度調節剤として硼砂肥料２〜１３重量％を各々添加し混合させて得られる。【選択図】図１
2006289080.tif 000002
【特許請求の範囲】
【請求項１】
麦飯石を含む温熱体の内部に潜熱材を収容して封止した構成の麦飯石製温熱罨法器において、前記温熱体の中には前記潜熱材が収蔵され、前記潜熱材はピロ燐酸ナトリウム１０水和物（Ｎａ４Ｐ２Ｏ７・１０Ｈ２Ｏ）とドコサン（Ｃ２２Ｈ４６）とを混合した相変化物質６９〜８７重量％に、核生成剤として塩化ナトリウム（ＮａＣｌ）１０〜１５重量％、増粘剤としてアクリル酸１〜３重量％、潜熱温度調節剤として硼砂肥料２〜１３重量％とを各々添加し、混合させたものである麦飯石製温熱罨法器。
【請求項２】
麦飯石を含む温熱体の内部に潜熱材を収容し、蓋で封止した構成の麦飯石製温熱罨法器において、前記温熱体の中には、ピロ燐酸ナトリウム１０水和物（Ｎａ４Ｐ２Ｏ７・１０Ｈ２Ｏ）とドコサン（Ｃ２２Ｈ４６）とを混合して得られる相変化物質６９〜８７重量％に、核生成剤として塩化ナトリウム（ＮａＣｌ）１０〜１５重量％、増粘剤としてアクリル酸１〜３重量％、潜熱温度調節剤として硼砂肥料２〜１３重量％を添加し混合させて成る前記潜熱材が収蔵された函体を収容し、前記函体はカバーとの間がパッキング材で封止され、且つ前記函体と前記カバーとは表面に所定のパターンに延長する溝を持ち、前記溝の内には同様のパターンに成る電熱コイルが挟み込まれて、前記潜熱材を５０〜８０℃の範囲で加熱させ、長時間維持することが出来る麦飯石製温熱罨法器。
【請求項３】
麦飯石を含む温熱体の内部に潜熱材を収容して封止した構成の麦飯石製温熱罨法器において、前記温熱体の中には前記潜熱材が収蔵され、前記潜熱材は塩化カルシウム６水和物（ＣａＣｌ２・６Ｈ２Ｏ）、チオ硫酸ナトリウム５水和物（Ｎａ２Ｓ２Ｏ３・５Ｈ２Ｏ）、炭酸ナトリウム１０水和物（Ｎａ２ＣＯ３・１０Ｈ２Ｏ）、燐酸水素ナトリウム１２水和物（Ｎａ２ＨＰＯ４・１２Ｈ２Ｏ）、酢酸ナトリウム３水和物（ＣＨ３ＣＯＯＮａ・３Ｈ２Ｏ）、硫酸ナトリウム１０水和物（Ｎａ２ＳＯ４・１０Ｈ２Ｏ）から選んだ１種を、前記ドコサン（Ｃ２２Ｈ４６）と混合した相変化物質６９〜８７重量％に、核生成剤として塩化ナトリウム（ＮａＣｌ）１０〜１５重量％、増粘剤としてアクリル酸１〜３重量％、潜熱温度調節剤として硼砂肥料２〜１３重量％とを各々添加し、混合させたものである麦飯石製温熱罨法器。
【請求項４】
麦飯石を含む温熱体の内部に潜熱材を収容し、蓋で封止した構成の麦飯石製温熱罨法器において、前記温熱体の中には、塩化カルシウム６水和物（ＣａＣｌ２・６Ｈ２Ｏ）、チオ硫酸ナトリウム５水和物（Ｎａ２Ｓ２Ｏ３・５Ｈ２Ｏ）、炭酸ナトリウム１０水和物（Ｎａ２ＣＯ３・１０Ｈ２Ｏ）、燐酸水素ナトリウム１２水和物（Ｎａ２ＨＰＯ４・１２Ｈ２Ｏ）、酢酸ナトリウム３水和物（ＣＨ３ＣＯＯＮａ・３Ｈ２Ｏ）、硫酸ナトリウム１０水和物（Ｎａ２ＳＯ４・１０Ｈ２Ｏ）から選んだ１種を、前記ドコサン（Ｃ２２Ｈ４６）と混合して得られる相変化物質６９〜８７重量％に、核生成剤として塩化ナトリウム（ＮａＣｌ）１０〜１５重量％、増粘剤としてアクリル酸１〜３重量％、潜熱温度調節剤として硼砂肥料２〜１３重量％を添加し混合させて成る前記潜熱材が収蔵された函体を収容し、前記函体はカバーとの間がパッキング材で封止され、且つ前記函体と前記カバーとは表面に所定のパターンに延長する溝を持ち、前記溝の内には同様のパターンに成る電熱コイルが挟み込まれて、前記潜熱材を５０〜８０℃の範囲で加熱させ、長時間維持することが出来る麦飯石製温熱罨法器。
【発明の詳細な説明】
【技術分野】
【０００１】
この発明は温熱罨法器に関し、特に麦飯石を主材料にした麦飯石製温熱罨法器に関する。
【背景技術】
【０００２】
温熱罨法器は手足の血行障害、鬱血解消、筋肉緊張緩和等を図るために、患部を温める装置で、従来から色々な構造のもので罨法体や温湿布として実用化されているが、本発明は麦飯石が持つ優れた遠赤外線放射性を利用し温熱罨法効果を高めようとするものである。
【０００３】
麦飯石の遠赤外線放射を用いる温熱罨法器は、主に麦飯石粉を入れている袋の内部に加熱源を配する構造になることが通常である。
【０００４】
このような構造の温熱罨法器は柔軟なシート状に成っているから、患部に接することが容易になる長所を持っているが、麦飯石から放射される遠赤外線の患部への照射量が少なく温熱罨法の効果を低くする短所がある。
【０００５】
麦飯石の原石を、そのまま刻んで温熱罨法器を作れば、麦飯石から放射される特有の遠赤外線を直接患部に放射する罨法器として利用出来るし、他の用途では木枕代用、或いは腹部肥満の治療補助具として利用出来る。
【０００６】
ところが、麦飯石製温熱罨法器は加熱にかかる時間が長い反面、加熱した後に外部からのエネルギー供給を中止すれば、すぐに冷えてしまう短所がある。
【０００７】
このような短所は温熱体の内部に潜熱材を充填することで解消出来るが、この熱材は、多くの場合、雲母粉、銅粉、酸化アルミナ粉等を主成分にする顕熱材であって、蓄熱量と温度が比例的関係にあるから、加熱した直後は非常に熱く、タオル等で包んで使用する程度だが、長く使うと冷めてしまうので、恒温性が良くない。
【０００８】
暖房分野における潜熱材としては、相変化により大量の熱エネルギーを吸収・放出する物質が用いられている。相変化物質というものは物質的、化学的条件の変化により相転移する性質を持つ物質を意味し、相転移の例としては融解、固化、気化、凝結等が挙げられる。
【０００９】
相転移を引き起こす相変化物質は多くの種類が知られており、各物質の溶融温度が様々であるために、普通は用途に合わせて幾種類かを混合して使用する。
【００１０】
相変化物質を利用する潜熱現象の問題としては、物質が相転移を繰り返す時に次第に沈殿物が生じ、潜熱の効果が低下する相分離現象、溶融点以下に温度が下がっても液体から個体への相変化が起こらず潜熱放出が停止する過冷却現象、化学的結合、または経時変化により物性が変わる腐食現象などが知られている。
【００１１】
しかし、このような問題は色々な相変化物質の中から選び出したものをよく混合して特性の調節を図ることで解消するとか、或いは別に核生成剤、増粘剤を追加的に添加することで解消している。
【００１２】
このような相変化物質として広く知られている潜熱材は、暖房に適合するものが主であるから、この発明に関する温熱罨法器の温度範囲では潜熱効果を奏しない。
【００１３】
従って、麦飯石特有の放射遠赤外線が直接患部に作用出来る構造になる温熱罨法器であって、足温機能、木枕代用機能、腹部肥満解消機能等を持つと共に、電熱手段の故障修理をも容易化し、使用部位が短時間で暖かくなる麦飯石製温熱罨法器を提供することが望まれている。
【００１４】
また、温熱罨法器に収蔵される潜熱材を高効率で加熱させる構造にした麦飯石製温熱罨法器を提供することも望まれている。
【発明の開示】
【発明が解決しようとする課題】
【００１５】
この発明の目的は、温熱体を罨法に適合する温度範囲で所定時間維持出来る潜熱材を内部に収蔵することにより、外部熱源に持続して加熱させなくても長時間に渡って温熱罨法と遠赤外線放射が可能な麦飯石製温熱罨法器を提供することである。
【課題を解決するための手段】
【００１６】
上述のような目的を実現する本発明は、内部に空間が形成されるように互いに接合される１対の側面部材から成り、前記空間には潜熱材を充填する構成の麦飯石製温熱罨法器である。
【００１７】
そして、この発明では、断熱材で外側が被覆され、内面には面状発熱体が敷設された収納用カバンが備わって前記温熱罨法器を収容することが出来る。
【００１８】
また、前記温熱体の内部に充填される潜熱材の中には血行促進のために磁石を含んでいてもよい。
【００１９】
この発明の温熱罨法器に収容される潜熱材は、ピロ燐酸ナトリウム１０水和物（Ｎａ４Ｐ２Ｏ７・１０Ｈ２Ｏ）とドコサン（Ｃ２２Ｈ４６）の２種を混合した相変化物質が６９〜８７重量％、核生成剤になる塩化ナトリウム（ＮａＣｌ）が１０〜１５重量％、増粘剤としてアクリル酸１〜３重量％、潜熱温度調節剤として硼砂肥料２〜１３重量％とを攪拌により混合されたものが用いられる。
【００２０】
また、前記相変化物質は塩化カルシウム６水和物（ＣａＣｌ２・６Ｈ２Ｏ）、チオ硫酸ナトリウム５水和物（Ｎａ２Ｓ２Ｏ３・５Ｈ２Ｏ）、炭酸ナトリウム１０水和物（Ｎａ２ＣＯ３・１０Ｈ２Ｏ）、燐酸水素ナトリウム１２水和物（Ｎａ２ＨＰＯ４・１２Ｈ２Ｏ），  酢酸ナトリウム３水和物（ＣＨ３ＣＯＯＮａ・３Ｈ２Ｏ）、硫酸ナトリウム１０水和物（Ｎａ２ＳＯ４・１０Ｈ２Ｏ）、ドコサン（Ｃ２２Ｈ４６）の中から選んだ２種を混合して使用することも出来る。
【００２１】
この発明に関する温熱罨法器は、内部に所定の空間を持つ温熱体と、これを封止する蓋の間で、外部から隔てられた空間を提供する函体に、潜熱材が収容される構造を含むこともある。
【００２２】
この場合、潜熱材を加熱させるための電熱コイルは前記函体の表面に布設される。
【発明の効果】
【００２３】
上述のような構成の本発明は麦飯石を含む温熱体を直接患部に接触させるので、他の温熱罨法器に比べて遠赤外線の輻射量が著しく多いから温熱罨法としての効果が良い。
【００２４】
しかも、内部に収容された潜熱材の作用により、外部エネルギーの供給がない時でも、加熱された状態が所定時間維持される長所がある。
【００２５】
また、互いに接合される１対に成った温熱体は、その表面の輪郭を種々の形態に加工可能なので、図示した円盤形だけではなく、中央が窪んだ湾曲面になる木枕形態等でも容易に製作でき、これによって頸部の温熱罨法も可能になり、また前記湾曲面に足部を気楽にかけて置くことも出来るから足温器の機能も持っている。
【００２６】
また、湾曲面は人体の腹部の曲線にも良く適合するので、これを腹部に置いて腹式呼吸をすれば、前記腹部の脂肪層が遠赤外線の新陳代謝効果により分解される一方、温熱罨法器の重量が腹部を押さえるため、腹部肥満の減少効果も優れている。
【００２７】
この発明は以上のような効果の外にも、電熱手段となる面状発熱体が収納用カバンの内周面に設けられているために、故障時には収納用カバンだけを交換することで修理が終わるから、アフタサービスも簡単になる利点があるほか、収納用カバンは温熱体の保管、携帯、及び加熱時の時間短縮が出来る長所もある。
【００２８】
しかも、内部に潜熱材を収容した後パッキングを介したカバーで封止された函体を、更に温熱体の内部に収容した構造なので、潜熱材は函体を通じた傍熱方式によって加熱されるから、効率良く、また、加熱中に融解された潜熱材が外部へ漏れることもない利点がある。
【発明を実施するための最良の形態】
【００２９】
本発明を図面に基づき好適な実施例について詳細に説明すれば次の様である。
【００３０】
図１は、本発明の１実施形態である温熱罨法器の構成を示す斜視図で、図面において上下に配置された１対の温熱体２は麦飯石を含み、これらは空間を挟んで、互いに一体（例えば、袋状）に接合されるものである。
【００３１】
この温熱体２は収納用カバン４に入れて、保管、加熱、携帯出来るもので、図２に示すように、温熱体２で挟まれた内部空間は潜熱材６を充填する空間になり、また潜熱材６の中には磁石８を多数内蔵してもよい。
【００３２】
空間を挟んで、互いに対向接合される１対の温熱体２は、堅牢な接合のために、どちらか一方の温熱体２に突出部を形成し、ここに嵌入する方式で接合することも出来る。
【００３３】
この発明において、温熱体２の内部に充填される潜熱材６は相変化物質、核生成剤、  増粘剤、潜熱温度調節剤を混合して得るものである。
【００３４】
相変化物質としては、ピロ燐酸ナトリウム１０水和物（Ｎａ４Ｐ２Ｏ７・１０Ｈ２Ｏ）とドコサン（Ｃ２２Ｈ４６）を２種混合したものが適当である。
【００３５】
相変化物質としてドコサンを単独に、初期温度３０℃から昇温させて８０℃まで加温・蓄熱させながら全体の相変化の平均温度と蓄熱量の変化を観察すると、初期の低い温度で蓄熱は徐々に進行するが、５８〜６３℃の潜熱区間で相当に蓄熱が行われ、この時の蓄熱量は６８．３７５Ｋｃａｌ／Ｋｇと測定された。
【００３６】
また、ピロ燐酸ナトリウム１０水和物を単独に、初期温度４０℃から９０℃まで加温・蓄熱させながら全体の相変化の平均温度と蓄熱量の変化を観察すると、初期蓄熱はほぼ進行されず、８５〜９０℃の潜熱区間で徐々に上昇し、この時の蓄熱量は７３．２５Ｋｃａｌ／Ｋｇと測定された。
【００３７】
しかし、ドコサンとピロ燐酸ナトリウム１０水和物を混合したものを、初期温度３５℃から８５℃まで加温・蓄熱させながら、全体の相変化の平均温度と蓄熱量の変化を観察すると、初期蓄熱時は溶融点の低いドコサンの蓄熱が迅速に増加し終わる一方、ピロ燐酸ナトリウム１０水和物はもっと高温で蓄熱が行われる。この時の蓄熱量は、通常ピロ燐酸ナトリウム１０水和物の方がドコサンに比べて約６％以上高い。
【００３８】
核生成剤は相変化物質の結晶核形成を促進して過冷却を阻止するためのもので、この発明においては塩化ナトリウム（ＮａＣｌ）が用いられる。
【００３９】
また、増粘剤は前記の相変化物質が融解―凝固する過程で過冷却を阻止する一方、融解―凝固を繰り返した時に生ずる相分離現象を阻止するもので、この発明においてはアクリル酸１００重量％、或いはこのアクリル酸９９重量％にヘキサン、界面活性剤、水酸化ナトリウム（ＮａＯＨ）３３％水溶液、メタノール（ＭｅＯＨ）及びエポキシ８１２の混合物を残部１重量％程度添加して混合したものが用いられる。
【００４０】
潜熱温度調節剤は特定温度範囲を長時間維持させるために添加するもので、この発明においては硼砂肥料が用いられる。
【００４１】
上述のような相変化物質、核生成剤、増粘剤、潜熱温度調節剤は、
相変化物質        ６９〜８７重量％
核生成剤          １０〜１５重量％
増粘剤            １〜３重量％
潜熱温度調節剤        ２〜１３重量％
を撹拌して混合すると、この発明に好適な潜熱材６になる。
【００４２】
潜熱材６は温熱体２の中に収容される際に選んだ相変化物質の溶融点より１０〜２０℃程高い温度で加熱すれば容易に充填することが出来る。
【００４３】
このような潜熱材６の作用を考えると、加熱温度に対する蓄熱量の定性的変化は図３の様になる。
【００４４】
図３において、□はこの発明、△は比較例としての水、そして○は比較例としての石の蓄熱量の変化を示すグラフである。
【００４５】
図３のように、この発明に採用される潜熱材６は温度６３℃に至る時まで、蓄熱量は最高３０Ｋｃａｌ／Ｋｇであるが、前記温度６３℃付近では瞬く間に８５Ｋｃａｌ／Ｋｇまで増加し、それ以上の温度では再び緩慢な傾きで増加する特性をみせているが、このような現象は温度２０℃から６３℃付近まではドコサンの蓄熱が徐々に進行され、前記６３℃で急に上昇して前記ドコサンの蓄熱が瞬く間に終了し、更にもっと高い温度からではピロ燐酸ナトリウム１０水和物の蓄熱が徐々に進行するために現れることである。
【００４６】
また、蓄熱後の放熱時潜熱効果は図４のような結果が得られた。
【００４７】
図４において、この発明の潜熱材６によりおよそ５時間くらい６０℃の温度を維持する潜熱区間が形成され、この後は比例的に冷めていく特性を見せる。
【００４８】
前記潜熱区間の温度６０℃はドコサンの潜熱効果で維持される一方、ピロ燐酸ナトリウム１０水和物が発散する潜熱は、前記潜熱の発散により温度がさがるドコサンを再び蓄熱する作用が繰り返すことにより長時間に渡って維持されることである。
【００４９】
また、前記潜熱区間の温度６０℃は麦飯石を用いる温熱罨法に最適な温度になるから、上述のように２種混合された相変化物質は麦飯石の罨法機能に最も効果的な潜熱材である。
【００５０】
この発明の潜熱材６は前記ドコサンとピロ燐酸ナトリウム１０水和物との２種混合に限定されることはなく、これらと同様な特性を持つ相変化物質で、例えば、塩化カルシウム６水和物（ＣａＣｌ２・６Ｈ２Ｏ）、チオ硫酸ナトリウム５水和物（Ｎａ２Ｓ２Ｏ３・５Ｈ２Ｏ）、炭酸ナトリウム１０水和物（Ｎａ２ＣＯ３・１０Ｈ２Ｏ）、燐酸水素ナトリウム１２水和物（Ｎａ２ＨＰＯ４・１２Ｈ２Ｏ）、酢酸ナトリウム３水和物（ＣＨ３ＣＯＯＮａ・３Ｈ２Ｏ）、硫酸ナトリウム１０水和物（Ｎａ２ＳＯ４・１０Ｈ２Ｏ）などを挙げることができ、これらの相変化物質から選んだ１種を前記ドコサン（Ｃ２２Ｈ４６）と混合して使用することが出来る。
【００５１】
次の表は前記の相変化物質が持っている溶融点と単位重量当たりの潜熱量を示す。
【００５２】
【表１】
2006289080.tif 000003
【００５３】
更に図１を見ると、収納用カバン４には蓋１０が付着されてマジックテープ(登録商標)１２ａ、１２ｂによって閉じた状態を保持するように成っており、この蓋１０のために収納用カバン４の内部空間１４は外部から隔離されるから加熱時の熱損失は小さくなる。
【００５４】
収納用カバン４の外部一側には普段の温度調節回路を備えるプラグ１６を差し込んで接続するためのソケット１８が設けられ、そのソケット１８を通じて収納用カバン４内の電熱装置に電源が印加される。
【００５５】
一方、収納用カバン４の素材は図５に示すように、内被２０には内側に網状の面状発熱体２２が重なっており、その反対側には断熱材２４と外被２６とが重なる断熱構造に成っている。
【００５６】
また、図面には示さないが、断熱材２４は面状発熱体２２と接する面を銀箔の反射面とすることにより、前記面状発熱体２２から発生する赤外線が収納用カバン４の内側に反射され、熱損失を更に減らすことができる。
【００５７】
面状発熱体２２は必ずしも網状に作られるものではなく、この発明では７０℃以下の低い温度で加熱させるために備えているものである。
【００５８】
また、網状の面状発熱体２２は図６に示したように、繊維糸２８の外表面に黒鉛含有樹脂３０がコーティングされる構造で、印加される電力は黒鉛含有樹脂３０に流れながらその抵抗によって発熱することに成る。
【００５９】
上述な構成のこの発明は、単なる温熱体２を収納用カバン４に入れ、蓋１０を閉じた後に前記収納用カバン４のソケット１８にプラグ１６を差し込む簡単な操作で温熱体２を加熱させることが出来る。
【００６０】
さらに、温熱体２は電子レンジで潜熱材６を加熱させることも出来、このようにして加熱される温熱体２は麦飯石で作られているからから、特有の遠赤外線を放出するようになる。
【００６１】
従って、単なる加熱された温熱体２の外表面を患者の患部等に接触させることで使用出来る。
【００６２】
電子レンジ、または収納用カバン４によって加熱される温熱体２は外部の熱源から断絶されていても、内部に収容された潜熱材６の作用で加熱が持続され、相当時間、例えば最短３〜４時間、最長５時間程加熱状態を維持させて温度を上げる。
【００６３】
温熱体２において、加熱のための構造は上述の実施例に限定されるものではなく、図７、図８に示す構成でも実施出来る。
【００６４】
図７はこの発明に関する温熱罨法器の他の実施例を示す分解斜視図であって、麦飯石を含む温熱体２は内部に所定の空間が形成されており、別の麦飯石を含む蓋４０と合体されて外部から隔離される内部空間を内部に持つ構成になっている。
【００６５】
前記温熱体２と蓋４０の間に形成された空間には函体４２が収容される。この函体４２はセットスクリュー等で締結されるカバー４４によって封止されるので、その封止状態を保障するために、函体４２とカバー４４との間にはパッキング４６が介挿される構造になる。
【００６６】
しかし、前記函体４２とカバー４４との表面には一定のパターンで延長される溝４８が形成されており、また前記溝４８のパターンに符合する態様の電熱コイル５０が設けられて前記溝４８に挿入して敷設される。
【００６７】
この電熱コイル５０の両端は前記温熱体２の一側に開いている通孔５２を通って電源ソケット５４に結線される。
【００６８】
図８は上述のような構成になる麦飯石製温熱罨法器の組合せ状態を示す断面図であって、内部に潜熱材６を収容した函体４２の入り口はパッキング４６を介してセットスクリュー等で締め付けられるカバー４４で封止される一方、その表面の溝４８には電熱コイル５０を挿入したまま、温熱体２の内部に収容されて蓋４０で封止する構成を見せている。
【００６９】
前記のような構成において、電熱コイル５０は温熱体２の外部に設けられる電源ソケット５４を通じて外部からの電源が印加される。
【００７０】
一方、函体４２とカバー４４の外表面に敷設される電熱コイル５０は潜熱材６に直接接触しないで暖める傍熱構造で、前記潜熱材６は熱による変質を起こさず、また温度コントロールも容易になり、前記潜熱材を５０〜８０℃範囲で正確に加熱させるようになる。
【００７１】
それに、函体４２とカバー４４との間にあるパッキング４６は潜熱材６の漏れを完璧に防ぐために、前記潜熱材６が思いがけず１００℃に加熱され沸騰しても漏れることはない。
【００７２】
図９は図７及び図８の温熱罨法器にコードレス給電方式が適用した例を示している。
【００７３】
この例において、温熱罨法器は専用のスタンド５６に搭載させてなっており、このスタンド５６は内部にヒーティング回路５８を備えている。また、前記スタンド５６の上面は温熱体２の一部を挿入することが出来る溝状の空間６０として形成され、また空間６０の底部には前記温熱体２に設ける電源ソケット５６と差し込んで電源を印加させるための電極６２が、前記ヒーティング回路５８の所定箇所に配置されており、ここで前記ヒーティング回路５８はコードレスアイロン等で実用化されている回路と同じ構成になっている。
【００７４】
このような構成のスタンド５６によれば、温熱罨法器の加熱を簡便にすることになる。
【産業上の利用可能性】
【００７５】
この発明は、温熱罨法器に適用可能であり、特に麦飯石を原石のまま刻んで作るものなので遠赤外線の輻射量が著しく多く、温熱罨法器として良い性能を有している。
【００７６】
しかも、内部に収容された潜熱材の作用により外部エネルギーの供給がなくても、加熱した状態が長時間に渡って一定に維持される長所があることで、携帯しながら温熱罨法を施すことが出来る。
【００７７】
また、互いに接合されて１対に成る温熱体を、中央が窪んだ湾曲面に成形すれば木枕にも使用出来るし、これによって頸部の温熱罨法も出来る。
【００７８】
また、前記湾曲面に足部を気楽に乗せて置くことも出来るから足温器としても活用出来る。
【００７９】
しかも、湾曲面は人体の腹部に良く適合するので、これを腹部に置いて腹式呼吸をする時に、前記腹部の脂肪層は遠赤外線の新陳代謝効果により分解される一方、温熱罨法器の重量が腹部を押さえることに成り、腹部肥満の除去にも卓越した効果がある。
【００８０】
この発明は、電熱手段となる面状発熱体が収納用カバンの内周面に敷設されているために、故障時には収納用カバンだけを交換することで修理が出来る。
【００８１】
前記収納用カバンは温熱体の保管、携帯、及び熱の損失がない短時間内に加熱させることが出来る長所もある。
【００８２】
その上、内部には潜熱材が収容した函体を備える構造なので、前記潜熱材は函体を通じて傍熱方式に加熱され、加熱中に融解された潜熱材が外部へ漏れることもない。
【図面の簡単な説明】
【００８３】
【図１】この発明の主な構成を示す斜視図。
【図２】図１に示した温熱体の断面図。
【図３】潜熱材の加熱温度に対する蓄熱量の変化を示すグラフである。
【図４】蓄熱後の放熱時潜熱効果を示すグラフである。
【図５】図１に示した収納用カバンの素材の断層図。
【図６】図５に示した面状発熱体の断面図。
【図７】この発明の温熱体の他の実施例を示す分解斜視図
【図８】図７の組み立てをしめす断面図。
【図９】図７に図示した温熱罨法器に適合なコードレス給電方式の例を示す図面。
【符号の説明】
【００８４】
２  温熱体
４  収納用カバン
６  潜熱材
８  磁石
１０  蓋
１２ａ，  １２ｂ  マジックテープ（登録商標）
１４  内部空間
１６  プラグ
１８  ソケット
２０  内被
２２  面状発熱体
２４  断熱材
２６  外被
２８  繊維糸
３０  黒鉛含有樹脂
４０  蓋
４２  函体
４４  蓋
４６  パッキング
４８  溝
５０  電熱コイル
５２  通孔
５４  ソケット
５６  スタンド
５８  回路基板
６０  空間
６２  電極
【図１】
2006289080.tif 000004
【図２】
2006289080.tif 000005
【図３】
2006289080.tif 000006
【図４】
2006289080.tif 000007
【図５】
2006289080.tif 000008
【図７】
2006289080.tif 000009
【図８】
2006289080.tif 000010
【図９】
2006289080.tif 000011
【図６】
2006289080.tif 000012